(57)【要約】【課題】    素振り練習者の前、直近（スイングしてもバットが当たらない）に配置する事で、バットのスイング練習装置を提供する。【解決手段】バットのスイングを練習するためのスイング練習装置であって、スイングによってバットが通過すべき位置に光線を照射する光線照射手段と、スイングされるバットに該光線が照射されているか否かを確認可能にバットを撮影する撮影手段と、を備えてなる、スイング練習装置である。【選択図】  図１
2009247601.tif 000002
【特許請求の範囲】
【請求項１】
バットのスイングを練習するためのスイング練習装置であって、
スイングによってバットが通過すべき位置に光線を照射する光線照射手段と、
スイングされるバットに該光線が照射されているか否かを確認可能にバットを撮影する撮影手段と、
を備えてなる、スイング練習装置。
【請求項２】
前記光線がレーザー光線である、請求項１に記載のスイング練習装置。
【請求項３】
光線照射手段と撮影手段とが１の容器に収容されてなる、請求項１又は２に記載のスイング練習装置。
【請求項４】
請求項１乃至３のいずれか１に記載のスイング練習装置を用い、バットのスイングを練習するスイング練習方法であって、
撮影手段が撮影した画像によって、スイングされるバットのいずれの位置に前記光線が照射されているかを確認するステップを含む、スイング練習方法。
【発明の詳細な説明】
【技術分野】
【０００１】
本発明は、スイング練習装置に関し、より詳細には、バットのスイングを練習するためのスイング練習装置に関する。
【背景技術】
【０００２】
野球やソフトボールにおいて、ボールを打撃するためにバットが用いられている。バットでボールをうまく打撃するには、ボールにバットが衝突する際のバットの速度が大きいことも必要であるが、それにも増して、バットの中心部分（所謂、バットの芯）にてボールをうまく打つことが要求される。
このためバットを所望のコースにうまくスイングするため、バットのスイング練習が従来から行われており、そのバットのスイング練習装置も種々提案されてきた（例えば、特許文献１）。
【０００３】
特許文献１には、「インパクト時のパワーの集中と、高さ・コース別に正確にバットの芯でボールをとらえる対応力を身につけ、バットスイングの基本型を体得する素振り練習器具を提供する」（要約の課題）ためになされたものであり、具体的には、「自動車のホイール付きタイヤ（１２）の中央に取付けられたアングル主柱（１）の頂部の合成ゴム（５）をインパクトポイントとし、インパクト時の打突音の音の違いを聞き分けてスイングの良否を判断する。心地よい音と手首へのしびれを感ずることがないことを最良のスイングとして、インパクト時のパワーの大きさ、グリップの状態、並びにバットヘッドの軌道の状態をチェックして、スイングの基本型を体得することを特長とする素振り練習器具」（要約の解決手段）が開示されている。
【０００４】
【特許文献１】特開２００７−１９０３２０号公報（例えば、要約、発明の詳細な説明中の段落番号００１０、第１図等）
【発明の開示】
【発明が解決しようとする課題】
【０００５】
確かに、特許文献１に開示の素振り練習器具（スイング練習装置）は、「インパクトポイントの設定に際し、高さ・コースともそれぞれスライド調整が可能であり、スイングによるインパクト時のバットと板状の合成ゴムとの打突音の音の違いを聞き分けることにより、心地よい音と手首へのしびれを感ずることがないことを最良のスイングとして、インパクト時のパワーの大きさ、グリップの状態、並びにバットヘッドの軌道を瞬時にしてチェックできる」（発明の詳細な説明中、段落番号００１０）が、「自動車のホイール付きタイヤ（１２）の中央に取付けられたアングル主柱（１）の頂部の合成ゴム（５）をインパクトポイント」とするので、素振り練習者の前に、自動車のホイール付きタイヤ（１２）の中央に取付けられたアングル主柱（１）が存することになり、これによりバットのコースがぶれて合成ゴム（５）以外の部分（例えば、アングル主柱（１））にバットが衝突することでバットを破損する問題や、素振り練習者が圧迫感を感じる問題等があった。
【０００６】
そこで、本発明においては、素振り練習者の前、直近（スイングしてもバットが当たらない）に配置する事で、バットのスイング練習装置を提供することを目的とする。
【課題を解決するための手段】
【０００７】
本発明のスイング練習装置（以下、「本装置」という。）は、バットのスイングを練習するためのスイング練習装置であって、スイングの高さを決めるための光線照射手段と、スイングされるバットに該光線が照射されているか否かを確認可能にするためにバットを撮影する撮影手段と、を備えてなる、スイング練習装置である。
本装置は、大まかには、光線照射手段と撮影手段とを備えてなる。
撮影手段は、光線に対し、いかにバットがスイングされたかを確認する為に撮影する。
こうすることで本装置によれば、撮影手段は、スイングされるバットに該光線が照射されているか否かを確認可能にバットを撮影するので、撮影手段により撮影されたバットの画像によって、スイングされたバットのどの位置で光線をとらえたかを確認することができる。スイングによってバットが通過すべき位置（該光線が照射される位置）でバットがスイングされたかどうかを確実に確認することができる。このように本装置においては、光線によってスイングの良否を知ることができる。
【０００８】
上述の如く、本装置は光線照射手段と撮影手段とを備えているが、これら光線照射手段と撮影手段とは別個のものとして構成されてもよいが、光線照射手段と撮影手段とが１の容器に収容されるようにしてもよい。このように光線照射手段と撮影手段とが１の容器に収容されるようにすれば、本装置の移動や設置が容易になるので本装置の使用を便ならしめることができる。
【０００９】
また、本発明は、本装置を用いたバットのスイング練習方法（以下、「本方法」という。）も提供する。
即ち、本方法は、本装置を用い、バットのスイングを練習するスイング練習方法であって、撮影手段が撮影した画像によって、スイングされるバットのいずれの位置に前記光線が照射されているかを確認するステップを含む、スイング練習方法である。
上述したように、バットのスイング練習に本装置を用いることで、撮影手段が、スイングされるバットに光線照射手段からの該光線が照射されているか否かを確認可能にバットを撮影するので、撮影手段が撮影した画像によって、スイングされるバットのいずれの位置に前記光線が照射されているかを確認するステップを行うようにすれば、スイングによってバットが本来通過すべき位置にバットがスイングされたかどうかを確認することができ、スイングによってバットが本来通過すべき位置にバットをスイングすることができるようにスイング練習することができる。
【発明を実施するための最良の形態】
【００１０】
以下、本発明の実施の形態を図面を参照して説明する。しかしながら、これらによって本発明は何ら制限されるものではない。
【００１１】
図１は、一実施形態の本発明のスイング練習装置（本装置）１１を示す平面図（水平な地面１０１に対して鉛直上方向から見たところを示している。）であり、図２は本装置１１の左側面図（図１中、矢印Ｂ方向から見たところを示している。参考のため、図２中に図１の図示の方向を矢印Ｃにて示した。）である。なお、図２中のバット２０１（後述）は、図１のＡ−Ａ断面（後述のレーザー光線３０１が照射されている位置における断面）を示している。
図１及び図２を参照して、本装置１１について説明する。ここに本装置１１は、水平な地面１０１に設置されている。なお、ここでは図示及び理解を容易にするため、本装置１１とバット２０１との間の距離を短縮して示している。
【００１２】
本装置１１は、大まかには、レーザー光線発生部２１（光線照射手段）と、ＣＣＤカメラ３１（撮影手段）と、レーザー光線発生部２１とＣＣＤカメラ３１とを内部４３に収容するケース４１（容器）と、を備えてなり、スイングの練習をするバット２０１から見て、スイングしてもケース４１に当たらない近い位置に設置されている。
【００１３】
レーザー光線発生部２１は、赤色可視光たるレーザー光線３０１を照射する装置を有してなる。
ＣＣＤカメラ３１は、図示しないスイッチを入れることで、レンズ３３を通じ、スイングしたバットとレーザー光線が直交した時に同期して撮影し、そして撮影された画像データを記憶する。
ケース４１は、中空の略直方体形状をした鋼製の箱体であり、その前面４５からレーザー光線３０１が照射されるようにレーザー光線発生部２１を内蔵すると共に、所定位置に存するバット２０１を撮影可能にＣＣＤカメラ３１を内蔵する。ここにケース４１に対するレーザー光線発生部２１の方向は所定範囲内にて可変可能であり（図１及び図２中、矢印Ｍ１にて可変の方向を示した。）、それによりケース４１に対するレーザー光線３０１の照射方向も所定範囲内にて変更可能にされている。また、ケース４１に対するＣＣＤカメラ３１の方向も所定範囲内にて可変可能であり（図１及び図２中、矢印Ｍ２にて可変の方向を示した。）、それによりケース４１に対する撮影方向（撮影範囲の輪郭３５）も所定範囲内にて変更可能にされている。
なお、レーザー光線発生部２１及びＣＣＤカメラ３１は、それらを動作させるための図示しない電源（例えば、商用電源や電池）に接続されている。
【００１４】
次に、本装置１１の使用方法を簡単に説明する。
第１に、本装置１１を、スイング練習するバット２０１の位置に応じて地面１０１に設置する。具体的には、スイングによってバット２０１が通過すべき位置（ここではボールを打撃すると想定される理想的な位置）にレーザー光線３０１が照射可能であると共に、スイングされるバット２０１をＣＣＤカメラ３１が撮影することができるような位置に本装置１１は設置される。
第２に、スイングによってバット２０１が通過すべき位置（ここではボールを打撃すると想定される理想的な位置）にレーザー光線３０１が照射されるようケース４１に対するレーザー光線発生部２１の方向を調整（図１及び図２中、矢印Ｍ１）すると共に、スイングされるバット２０１にレーザー光線３０１が照射されているか否かを撮影画像により確認可能にケース４１に対するＣＣＤカメラ３１の方向を調整（図１及び図２中、矢印Ｍ２）する。
【００１５】
以上説明したように、本装置１１は、バット２０１のスイングを練習するためのスイング練習装置であって、スイングによってバット２０１が通過すべき位置に光線（ここではレーザー光線３０１）を照射する光線照射手段（ここではレーザー光線発生部２１）と、スイングされるバット２０１に該光線（レーザー光線３０１）が照射されているか否かを確認可能にバット２０１を撮影する撮影手段（ここではＣＣＤカメラ３１）と、を備えてなる、スイング練習装置である。なお、該光線（ここではレーザー光線３０１）は、スイングによってバット２０１が通過すべき目標とする理想のスイング面（バットがスイングされた際にバットの軌跡が形成する面）に沿って又は該スイング面に交わるように照射されることで、撮影手段が撮影した画像によりスイングされるバット２０１に該光線（レーザー光線３０１）が照射されているか否かを確認すれば、バット２０１が、通過すべきスイング面（目標とする理想のスイング面）の中の該光線（レーザー光線３０１）が照射された位置をどのようにとらえたかを知ることができる。
本装置１１においては、前記光線がレーザー光線３０１である。
本装置１１においての、撮影手段（ＣＣＤカメラ３１）は、バットスイングに同期して撮影し記録するカメラである。
本装置１１においては、光線照射手段（レーザー光線発生部２１）と撮影手段（ＣＣＤカメラ３１）とが１の容器（ここではケース４１）に収容されている。
加えて、本装置１１の前記した使用方法は、本装置１１を用い、バット２０１のスイングを練習するスイング練習方法であって、撮影手段（ＣＣＤカメラ３１）が撮影した画像によって、スイングされるバット２０１のいずれの位置に前記光線（レーザー光線３０１）が照射されているかを確認するステップを含む、スイング練習方法である。
【図面の簡単な説明】
【００１６】
【図１】一実施形態の本発明のスイング練習装置（本装置）を示す平面図である。
【図２】本装置の左側面図である。
【図３】ＣＣＤカメラが撮影した画像データの一例である。
【符号の説明】
【００１７】
１１      本装置
２１      レーザー光線発生部
３１      ＣＣＤカメラ
３３      レンズ
３５      輪郭
４１      ケース
４３      内部
４５      前面
１０１      地面
２０１      バット
３０１      レーザー光線
３０５      照射スポット
４０１      手
【図１】
2009247601.tif 000003
【図２】
2009247601.tif 000004
【図３】
2009247601.tif 000005